(57)【要約】【課題】画面上に符号パターンを表示する使用形態において、適切に符号パターンを表示することができる表示装置及び表示制御プログラムの提供。【解決手段】表示部と、電子ペンとの通信を行う通信部と、制御部と、を備える表示装置であって、前記制御部は、前記表示部に、原稿画像のみを表示させる第１モードと、前記表示部に、前記電子ペンが当該表示部上の位置を特定可能な符号パターンを表示させる第２モードと、を切り替え可能にし、前記制御部は、前記第２のモードに設定されている場合は、前記表示部に、前記符号パターンのみを表示させるか、前記原稿画像と前記符号パターンとを合成した合成画像を表示させるか、前記原稿画像と前記符号パターンとを交互に表示させる。【選択図】図５
2012058922.tif 000002
【特許請求の範囲】
【請求項１】
表示部と、電子ペンとの通信を行う通信部と、制御部と、を備える表示装置であって、
前記制御部は、前記表示部に、原稿画像のみを表示させる第１モードと、前記表示部に、前記電子ペンが当該表示部上の位置を特定可能な符号パターンを表示させる第２モードと、を切り替え可能にする、ことを特徴とする表示装置。
【請求項２】
前記制御部は、前記第２のモードに設定されている場合は、前記表示部に、前記符号パターンのみを表示させる、ことを特徴とする請求項１に記載の表示装置。
【請求項３】
前記制御部は、前記第２のモードに設定されている場合は、前記表示部に、前記原稿画像と前記符号パターンとを合成した合成画像を表示させる、ことを特徴とする請求項１に記載の表示装置。
【請求項４】
前記制御部は、前記第２のモードに設定されている場合は、前記表示部に、前記原稿画像と前記符号パターンとを交互に表示させる、ことを特徴とする請求項１に記載の表示装置。
【請求項５】
表示部と、電子ペンとの通信を行う通信部と、制御部と、を備える表示装置であって、
前記制御部は、前記表示部に、原稿画像と前記電子ペンが当該表示部上の位置を特定可能な符号パターンとを予め定められた時間間隔で交互に表示させる、ことを特徴とする表示装置。
【請求項６】
前記符号パターンの表示時間は、前記電子ペンが当該符号パターンを認識可能な最小時間である、ことを特徴とする請求項５に記載の表示装置。
【請求項７】
前記制御部は、前記電子ペンが認識した前記符号パターンに基づく位置データを取得し、当該位置データに基づいて、前記表示部に、前記電子ペンで手書きした画像を表示させる、ことを特徴とする請求項１乃至６のいずれか一に記載の表示装置。
【請求項８】
表示部と、電子ペンとの通信を行う通信部と、を備える表示装置で動作する表示制御プログラムであって、
前記表示装置を、
前記表示部に、原稿画像のみが表示される第１モードと、前記表示部に、前記電子ペンが当該表示部上の位置を特定可能な符号パターンが表示される第２モードと、を切り替え可能にする制御部、として機能させる、ことを特徴とする表示制御プログラム。
【請求項９】
前記制御部は、前記第２のモードに設定されている場合は、前記表示部に前記符号パターンのみを表示させる、ことを特徴とする請求項８に記載の表示制御プログラム。
【請求項１０】
前記制御部は、前記第２のモードに設定されている場合は、前記表示部に前記原稿画像と前記符号パターンとを合成した合成画像を表示させる、ことを特徴とする請求項８に記載の表示制御プログラム。
【請求項１１】
前記制御部は、前記第２のモードに設定されている場合は、前記表示部に前記原稿画像と前記符号パターンとを交互に表示させる、ことを特徴とする請求項８に記載の表示制御プログラム。
【請求項１２】
表示部と、電子ペンとの通信を行う通信部と、を備える表示装置で動作する表示制御プログラムであって、
前記表示装置を、
前記表示部に、原稿画像と前記電子ペンが当該表示部上の位置を特定可能な符号パターンとを予め定められた時間間隔で交互に表示させる制御部、として機能させる、ことを特徴とする表示制御プログラム。
【請求項１３】
前記符号パターンの表示時間は、前記電子ペンが当該符号パターンを認識可能な最小時間である、ことを特徴とする請求項１２に記載の表示制御プログラム。
【請求項１４】
前記制御部は、前記電子ペンが認識した前記符号パターンに基づく位置データを取得し、当該位置データに基づいて、前記表示部に、前記電子ペンで手書きした画像を表示させる、ことを特徴とする請求項８乃至１３のいずれか一に記載の表示制御プログラム。
【発明の詳細な説明】
【技術分野】
【０００１】
本発明は、表示装置及び表示制御プログラムに関し、特に、電子ペンが認識可能な符号パターンを表示する表示装置及び当該表示装置で動作する表示制御プログラムに関する。
【背景技術】
【０００２】
近年、入力デバイスとして、ペンで入力した筆跡をデータとして出力する電子ペンが利用されている。この電子ペンは、ペン先に小型カメラを搭載しており、用紙に印刷されたアノト（登録商標）パターンと呼ばれる符号パターンを小型カメラで読み取ることによってペン先の位置を特定し、手書きした文字や図形、絵などの筆跡を手書きデータとして出力する。
【０００３】
このような電子ペンを利用したシステムとして、例えば、下記特許文献１には、ユーザーの手書き内容を記述作業と同時に撮像してコンピュータに転送するカメラ機能及び通信機能を有する筆記入力装置、特定のカルテ用紙に記載された医療情報について該筆記入力装置を介して特定のコンピューターに転送された医療情報を記憶する記憶部と、を有する医療情報収集管理システムであって、該記憶部は、予め該用紙のフォーマット情報及び該用紙上に記入すべき項目に係る項目情報が格納されており、該用紙に印刷されているドットパターンにより筆記入力装置が該用紙の位置を特定し、該特定位置情報により手書きの記述内容がいずれかの項目のものであるかを認識することにより、該手書きの記述内容とその項目情報が関連付けられて記憶できる医療情報収集管理システムが開示されている。
【０００４】
また、下記特許文献２には、位置座標を示すコード化パターンが印刷された用紙に対して電子ペンで記入することで電子ペンにより生成された記入情報を受信し処理する端末装置であって、表示手段の表示画面において、記入内容を表示する領域を指定する領域指定手段と、前記領域指定手段により指定された表示手段の領域に、前記電子ペンの記入情報に基づく記入内容を表示させる処理手段とを備える端末装置が開示されている。
【先行技術文献】
【特許文献】
【０００５】
【特許文献１】特開２００８−１８１５０９号公報
【特許文献２】特開２００９−２８８５７３号公報
【発明の概要】
【発明が解決しようとする課題】
【０００６】
このように、特定の符号パターンを用紙に印刷することにより、用紙に書き込んだ情報を手書きデータとして取得することができ、特許文献１のように手書きデータを項目に関連付けて記憶したり、特許文献２のように手書きデータと表示データを合成したりすることができる。しかしながら、これらの方法では、符号パターンを用紙に印刷しなければならないため、処理が煩雑になるという問題があった。
【０００７】
この問題に対して、上記符号パターンを表示装置の画面上に表示する方法も考えられる。しかしながら、用紙と表示装置の画面とでは使用形態が異なるし、その特質も異なるため、単純に用紙を画面に置き換えただけでは、適切に符号パターンを表示することができないという問題が生じる。
【０００８】
本発明は、上記問題点に鑑みてなされたものであって、その主たる目的は、画面上に符号パターンを表示する使用形態において、適切に符号パターンを表示することができる表示装置及び表示制御プログラムを提供することにある。
【課題を解決するための手段】
【０００９】
上記目的を達成するため、本発明は、表示部と、電子ペンとの通信を行う通信部と、制御部と、を備える表示装置であって、前記制御部は、前記表示部に、原稿画像のみを表示させる第１モードと、前記表示部に、前記電子ペンが当該表示部上の位置を特定可能な符号パターンを表示させる第２モードと、を切り替え可能にするものである。
【００１０】
また、本発明は、表示部と、電子ペンとの通信を行う通信部と、制御部と、を備える表示装置であって、前記制御部は、前記表示部に、原稿画像と前記電子ペンが当該表示部上の位置を特定可能な符号パターンとを予め定められた時間間隔で交互に表示させるものである。
【００１１】
また、本発明は、表示部と、電子ペンとの通信を行う通信部と、を備える表示装置で動作する表示制御プログラムであって、前記表示装置を、前記表示部に、原稿画像のみが表示される第１モードと、前記表示部に、前記電子ペンが当該表示部上の位置を特定可能な符号パターンが表示される第２モードと、を切り替え可能にする制御部、として機能させるものである。
【００１２】
また、本発明は、表示部と、電子ペンとの通信を行う通信部と、を備える表示装置で動作する表示制御プログラムであって、前記表示装置を、前記表示部に、原稿画像と前記電子ペンが当該表示部上の位置を特定可能な符号パターンとを予め定められた時間間隔で交互に表示させる制御部、として機能させるものである。
【発明の効果】
【００１３】
本発明の表示装置及び表示制御プログラムによれば、画面上に符号パターンを表示する使用形態において、適切に符号パターンを表示することができる。
【００１４】
その理由は、表示装置（表示制御プログラム）は、原稿画像のみを表示する通常モードと符号パターンを表示する手書きモードとを切り替え可能にし、手書きモードに設定されている時のみ、符号パターンを画面上に表示する制御を行うからである。これにより、手書きを行わない場合は、符号パターンを表示することによる原稿画像の視認性の悪化を防止することができ、適切に符号パターンを利用することができる。
【００１５】
また、表示装置（表示制御プログラム）は、原稿画像と符号パターンの両方を表示する場合において、原稿画像と符号パターンとを時分割で（予め定めた時間間隔で交互に）表示する制御を行うからである。これにより、原稿画像と重なる符号パターンも電子ペンで読み取ることができ、適切に符号パターンを利用することができる。
【図面の簡単な説明】
【００１６】
【図１】本発明の第１の実施例に係る表示システムの構成を模式的に示す図である。
【図２】本発明の第１の実施例に係る表示装置の構成を示すブロック図である。
【図３】本発明の第１の実施例に係る電子ペンの構成を示すブロック図である。
【図４】アノト（登録商標）パターンの一例を示す図である。
【図５】本発明の第１の実施例に係る表示装置に表示される画面（通常モードと手書きモード）の一例を示す図である。
【図６】本発明の第１の実施例に係る表示装置に表示される画面（表示方式選択画面）の一例を示す図である。
【図７】本発明の第１の実施例に係る電子ペンの外観構成を示す図である。
【図８】本発明の第１の実施例に係る表示装置の動作（パターンのみを表示する場合の動作）を示すフローチャート図である。
【図９】本発明の第１の実施例に係る表示装置の動作（原稿とパターンの合成画像を表示する場合の動作）を示すフローチャート図である。
【図１０】本発明の第１の実施例に係る表示装置の動作（原稿とパターンを交互に表示する場合の動作）を示すフローチャート図である。
【図１１】本発明の第２の実施例に係る表示装置の表示コントローラの構成及び時分割表示方法を示す図である。
【図１２】本発明の第２の実施例に係る表示装置の動作（原稿とパターンを時分割で表示する場合の動作）を示すフローチャート図である。
【発明を実施するための形態】
【００１７】
背景技術で示したように、入力デバイスとして、ペンで入力した筆跡をデータとして出力する電子ペンが利用されており、電子ペンを利用した様々なシステムが提案されているが、従来のシステムは、符号パターンを用紙に印刷するものであるため、処理が煩雑になるという問題があった。
【００１８】
一方、近年、電子ペーパー等の表示装置が普及しており、例えば、会議等の資料を紙媒体として出力する代わりに、資料の電子データを表示装置に表示部に表示させるといった形態で利用されている。
【００１９】
そこで、本発明の一実施の形態では、電子ペンで利用する符号パターンを表示装置の画面上に表示することにより、符号パターンを用紙に印刷する手間を省いて処理の簡略化を図る。その際、用紙と表示装置の画面とでは使用形態が異なり、その特質も異なることから、表示装置に適した方法で符号パターンを表示して、適切に符号パターンを利用できるようにする。
【００２０】
具体的には、表示装置に原稿画像を表示するケースとして、手書き入力する場合と単に閲覧するだけの場合とがあり、後者の場合は符号パターンは不要であることから、符号パターンを表示する「手書きモード」と原稿画像のみを表示する「通常モード」とを切り替え可能にし、「手書きモード」に設定された時のみ、符号パターンを表示するようにする。また、「手書きモード」においても、原稿画像を参照する場合と参照する必要がない場合とがあることから、符号パターンのみを表示する表示方式と、原稿画像と符号パターンとを合成して表示する表示方式と、原稿画像と符号パターンとを交互に表示する表示方式とを選択可能にする。
【００２１】
また、原稿画像と符号パターンの両方を表示する場合に、原稿画像と重なる符号パターンは電子ペンで適切に読み取ることができない場合もある。そこで、原稿画像と符号パターンとを予め定めた時間間隔で交互に表示し、符号パターンを電子ペンで確実に読み取れるようにする。また、原稿画像と符号パターンの表示時間を適切に設定して、原稿画像が残像により連続的に表示されるようにしたり、符号パターンを目立たなくして原稿画像の視認性を向上させたりする。
【実施例１】
【００２２】
上記した本発明の一実施の形態についてさらに詳細に説明すべく、本発明の第１の実施例に係る表示装置及び表示制御プログラムについて、図１乃至図１０を参照して説明する。図１は、本実施例の表示システムの構成を模式的に示す図であり、図２は、表示装置の構成を示すブロック図である。また、図３は、電子ペンの構成を示すブロック図であり、図４は、アノト（登録商標）パターンの一例を示す図である。また、図５は、表示装置の表示画面（通常モードと手書きモード）の一例を示す図であり、図６は、表示方式選択画面の一例を示す図である。また、図７は、電子ペンの外観構成を示す図であり、図８乃至図１０は、表示装置の動作を示すフローチャート図である。
【００２３】
上述したように、電子ペンで符号パターンを読み取るシステムに、電子ペーパーなどの表示装置を組み合わせて、表示装置の画面上に符号パターンを表示する方法が考えられる。ここで、用紙に印刷する場合は、所望の原稿画像のみに符号パターンを合成すればよいため、手書きを行わない原稿画像の視認性が悪化することはないが、表示装置の場合は、画面上に様々な原稿画像が表示されるため、全ての原稿画像に対して符号パターンを合成すると、手書きを行わない原稿画像の視認性が悪化するという問題が発生する。
【００２４】
そこで、本実施例では、単純に符号パターンを画面上に表示するように制御するのではなく、符号パターンを表示する動作モード（本実施例では手書きモードと呼ぶ。）と原稿画像のみを表示する動作モード（本実施例では通常モードと呼ぶ。）とを切り替え可能にし、手書きモードに設定されている場合のみ、画面上に符号パターンを表示して、電子ペンで手書きした内容を手書きデータとして出力できるようにする。以下、図面を参照して説明する。
【００２５】
図１に示すように、本実施例の表示システム１０は、各種情報を表示する表示装置２０と、表示装置２０に表示された符号パターンを検出する電子ペン３０とで構成される。
【００２６】
［表示装置］
表示装置２０は、電子ペーパーや電子ブックなどの表示部を備えた装置であり、図２に示すように、ＣＰＵ（Central Processing Unit）２１、ＲＯＭ（Read Only Memory）２２、ＲＡＭ（Random Access Memory）２３、通信部２４、電源部２５、表示コントローラ２６、表示部２７、操作部２８などを備える。
【００２７】
ＣＰＵ２１は、ＲＯＭ２２から読み出した各種プログラムをＲＡＭ２３に展開して実行し、各部の動作を制御する。ＲＯＭ２２は、ＣＰＵ２１で動作する各種プログラムなどを記憶する。ＲＡＭ２３は、表示装置２０の動作を制御するための設定情報、表示部２７に表示させる原稿画像の元となる原稿データ、符号パターンのデータ、電子ペン３０から受信した位置データなどを記憶する。
【００２８】
そして、ＣＰＵ２１とＲＯＭ２２とＲＡＭ２３とで制御部が構成され、この制御部（若しくは制御部で動作する表示制御プログラム）は、表示装置２０の動作モードを判別し、手書きモードに設定されている場合は、表示コントローラ２６を制御して、表示部２７に符号パターンを表示させ、必要に応じて、電子ペン３０から受信した位置データに基づいて、表示部２７に手書き画像を表示させる制御などを実行する。
【００２９】
通信部２４は、電子ペン３０と接続するためのインターフェースであり、有線通信や無線通信、赤外線通信、Bluetooth（登録商標）などを利用して、電子ペン３０との通信を確立する。
【００３０】
電源部２５は、電池や商用電源などから供給される電力を表示装置２０の各部に供給する。
【００３１】
表示コントローラ２６は、制御部の指示に従って表示部２７を制御する。表示部２７は、透明な液体の中で浮動する微粒子を電界によって移動させて表示を行う電子ペーパー（ＥＰＤ：Electrophoretic Display）や液晶表示装置（ＬＣＤ：Liquid Crystal Display）、有機ＥＬ（electroluminescence）表示装置等からなり、ＲＡＭ２３に記憶した原稿データに基づく原稿画像や符号パターン、電子ペン３０から送られた位置データに基づく手書き画像などを表示する。
【００３２】
操作部２８は、ボタンやスイッチ、表示部２７上に透明電極が格子状に配置された感圧式のタッチパネルなどであり、動作モードの選択や手書きモードにおける表示方式の選択、ページの切り替えなどを可能にする。
【００３３】
なお、表示装置２０は、手書きモードと通常モードとが切り替え可能であり、手書きモードに設定されている時に、画面上に符号パターンを表示する機能を備えていればよく、その構成や制御は適宜変更可能である。
【００３４】
［電子ペン］
電子ペン３０は、表示装置２０の表示部２７に表示された符号パターンを読み取る装置であり、図３に示すように、ＣＰＵ３１、ＲＯＭ３２、ＲＡＭ３３、通信部３４、電源部３５、撮像部３６、ペン圧力検知部３７、筆記部３８、時計部３９、操作部４０などを備える。
【００３５】
ＣＰＵ３１は、ＲＯＭ３２から読み出した各種プログラムをＲＡＭ３３に展開して実行し、各部の動作を制御する。ＲＯＭ３２は、ＣＰＵ３１で動作する各種プログラムなどを記憶する。ＲＡＭ３３は、電子ペン３０の動作を制御するための設定情報、筆記部３８が読み取った位置データなどを記憶する。
【００３６】
通信部３４は、表示装置３０と接続するためのインターフェースであり、有線通信や無線通信、赤外線通信、Bluetooth（登録商標）などを利用して、表示装置３０との通信を確立する。
【００３７】
電源部３５は、電池やＵＳＢ（Universal Serial Bus）などを介して表示装置３０から供給される電力を電子ペン３０の各部に供給する。
【００３８】
撮像部３６は、符号パターンを読み取るための小型のカメラであり、ＣＣＤ（Charge Coupled Devices）やＣＭＯＳ（Complementary Metal Oxide Semiconductor）などのデバイスを備える。
【００３９】
ペン圧力感知センサ３７は、電子ペン３０のペン先の筆圧を検知するための圧電素子などである。
【００４０】
筆記部３８は、ペン圧力感知センサ３７が筆圧を検知した時に撮像部３６で読み取った符号パターンに基づいて電子ペン３０の位置を特定し、位置データとして出力する。
【００４１】
時計部３９は、時刻を計時し、筆記部３８が出力する位置データに時刻情報を関連付ける。
【００４２】
操作部４０は、ボタンやスイッチなどであり、電源のＯＮ／ＯＦＦ、動作モードの選択や手書きモードにおける表示方式の選択、ページの切り替え、位置データの送信などの操作を可能にする。
【００４３】
なお、電子ペン３０は、表示装置２０の画面に表示される符号パターンを認識してその位置データを出力する機能を備えていればよく、その構成や形状、通信方法などは特に限定されない。
【００４４】
図４は、表示装置２０の表示部２７に表示される符号パターン（アノト（登録商標）パターン）の一例である。このアノト（登録商標）パターンは、格子状に配置されたドットパターンであり、各ドットは０．３ｍｍ間隔で直交する格子から上下左右いずれかの方向へ僅かにずれていて、電子ペン３０の撮像部３６によって、１度に縦６×横６ドット、計３６ドットのマトリクス単位で読み込まれる。このアノト（登録商標）パターンはどの点をとっても一意な値であるため、電子ペン３０の位置を特定することができる。
【００４５】
このようなドットパターンを表示部２７に表示する場合、表示部２７はドットのずれを表示可能な解像度を持つ必要がある。具体的には、ドットの直径は０．０５〜０．１ｍｍであり、ドットずれの表現に必要な移動量はドットの半径（０．０２５〜０．０５ｍｍ）になる。従って、ドットのずれを表示可能な解像度は、１ｉｎｃｈは０．０２５４ｍであることから、
（０．０２５４ｍ／ｉｎｃｈ）／（０．０５×１０−３ｍ／ｄｏｔ）〜（０．０２５４ｍ／ｉｎｃｈ）／（０．０２５×１０−３ｍ／ｄｏｔ）、
すなわち、５０８ｄｐｉ〜１０１６ｄｐｉとなり、表示部２７は、これ以上の解像度を有する必要がある。
【００４６】
図５は、表示装置２０の動作モードを説明する図であり、（ａ）は通常モード、（ｂ）は手書きモードを示している。（ａ）の通常モードでは、画面上に原稿画像（ここでは「ＡＢＣ」の文字）のみが表示され、（ｂ）の手書きモードでは、画面上に少なくとも符号パターン（ここでは原稿画像と符号パターンの両方）が表示される。また、画面の下部にはコマンド領域が設けられており、タッチパネルの操作若しくはハードキーの操作により、ページ送りや、通常モードと手書きモードの切り替えができるようになっている。
【００４７】
また、手書きモードでは、原稿画像と関係なく手書きを行う場合と、原稿画像に書き加えるように手書きを行う場合と、原稿画像を参照して手書きを行う場合とが考えられる。そこで、本実施例では、手書きモードに設定された時に、図６に示すような表示方式選択画面を表示部２７に表示させ、符号パターンのみを表示する表示方式と、原稿画像と符号パターンの合成画像を表示する表示方式と、原稿画像と符号パターンを交互に表示する表示方式の中から所望の表示方式を選択できるようにしている。
【００４８】
なお、図５及び図６は、表示装置２０側で、動作モードの選択や手書きモードにおける表示方式の選択、ページの切り替えを行う場合の構成であるが、これらの操作は電子ペン３０側で行うこともできる。その場合、図７に示すように、電子ペン３０に、動作モードや表示方式の切り替えを行うボタン（図のＳＷボタン）やページの切り替えを行うボタン（図の三角印のボタン）を設け、表示装置２０は、電子ペン３０から指示情報を受信したら、その指示情報に従って、動作モードを切り替えたり、手書きモードにおける表示方式を切り替えたり、ページを切り替えたりする。
【００４９】
この構成では、電子ペン３０の操作部４０として上記ボタンが必要になるが、表示装置２０にコマンド領域を設ける必要がなくなるため、表示部２７の画面全体に原稿画像や符号パターンを表示することができるメリットがある。
【００５０】
次に、手書きモード時の表示装置２０の動作について、図８乃至図１０のフローチャート図を参照して説明する。図８は、符号パターンのみを表示する表示方式を選択した時の動作、図９は、原稿画像と符号パターンの合成画像を表示する表示方式を選択した時の動作、図１０は、原稿画像と符号パターンとを交互に表示する表示方式を選択した時の動作を示している。以下、順番に説明する。なお、表示装置２０は初期状態では通常モードに設定されているものとする。
【００５１】
［符号パターンのみを表示する場合（図８参照）］
まず、表示装置２０の制御部は、表示コントローラ２６を制御して、予めＲＡＭ２３などに記憶した原稿データに基づいて、表示部２７に原稿画像を表示させ（Ｓ１０１）、手書きフラグに０をセットする（Ｓ１０２）。なお、この原稿データは予め記憶したものに限らず、通信部２４を介してユーザ端末などから受信した原稿データなどとしてもよい。
【００５２】
次に、制御部は、表示部２７のコマンド領域に設けられたボタンの操作、若しくは電子ペン３０に設けられたボタンの操作によって、ページ送りが指示されたかを判断する（Ｓ１０３）。
【００５３】
ページ送りが指示されていなければ、制御部は、表示部２７のコマンド領域に設けられたボタンの操作、若しくは電子ペン３０に設けられたボタンの操作によって、手書きモードが指示されたかを判断する（Ｓ１０４）。
【００５４】
手書きモードが指示されなかった場合は、通常モードで動作するため、制御部は、手書きフラグに０をセットし（Ｓ１０５）、表示部２７の画面に原稿画像のみを表示し（Ｓ１０６）、Ｓ１０３に戻る。すなわち、手書きモードに設定されるまで、原稿画像を表示した状態を維持する。
【００５５】
一方、手書きモードが指示された場合は、制御部は、手書きフラグに１をセットし（Ｓ１０７）、表示部２７の画面から原稿画像を消去して符号パターンのみを表示する（Ｓ１０８）。その後、ユーザが電子ペン３０を用いて画面上で手書きを行うと、電子ペン３０は、画面上の符号パターンを読み取って位置を特定し、その位置データを表示装置２０に送信する。表示装置２０の制御部は、電子ペン３０から位置データを受信し、必要に応じて、その位置データに基づいて画面上に手書き画像を合成する（Ｓ１０９）。そして、制御部は、電子ペン３０の電源がＯＦＦにされるなどによって手書きが完了したかを判断し（Ｓ１１０）、完了していなければＳ１０３に戻り、手書きが完了したら、手書きフラグに０をセットし、通常モードに戻って、表示部２７の画面に原稿画像のみを表示する（Ｓ１１１）。
【００５６】
また、Ｓ１０３でページ送りが指示された場合、制御部は、手書きフラグが１であるかを判断し（Ｓ１１２）、手書きフラグが１であれば手書きモードであるため、指定ページに符号パターンのみを表示し（Ｓ１１３）、手書きフラグが１でなければ通常モードであるため、指定ページに原稿画像を表示し（Ｓ１１４）、Ｓ１０３に戻って同様の処理を繰り返す。
【００５７】
［原稿画像と符号パターンの合成画像を表示する場合（図９参照）］
上記と同様に、表示装置２０の制御部は、表示部２７に原稿画像を表示させ（Ｓ２０１）、手書きフラグに０をセットする（Ｓ２０２）。次に、制御部は、表示部２７のコマンド領域に設けられたボタンの操作、若しくは電子ペン３０に設けられたボタンの操作によって、ページ送りが指示されたかを判断する（Ｓ２０３）。
【００５８】
ページ送りが指示されていなければ、制御部は、表示部２７のコマンド領域に設けられたボタンの操作、若しくは電子ペン３０に設けられたボタンの操作によって、手書きモードが指示されたかを判断する（Ｓ２０４）。手書きモードが指示されなかった場合は、通常モードで動作するため、制御部は、手書きフラグに０をセットし（Ｓ２０５）、表示部２７の画面に原稿画像のみを表示し（Ｓ２０６）、Ｓ２０３に戻る。
【００５９】
一方、手書きモードが指示された場合は、制御部は、手書きフラグに１をセットし（Ｓ２０７）、原稿画像に符号パターンを合成した合成画像を生成して、その合成画像を表示部２７に表示し（Ｓ２０８）、その後、電子ペン３０から受信した位置データに基づいて画面上に手書き画像を合成する（Ｓ２０９）。そして、制御部は、電子ペン３０の電源がＯＦＦにされるなどによって手書きが完了したかを判断し（Ｓ２１０）、完了していなければＳ２０３に戻り、手書きが完了したら、手書きフラグに０をセットし、通常モードに戻って、表示部２７の画面に原稿画像のみを表示する（Ｓ２１１）。
【００６０】
また、Ｓ２０３でページ送りが指示された場合、制御部は、手書きフラグが１であるかを判断し（Ｓ２１２）、手書きフラグが１であれば手書きモードであるため、指定ページの原稿画像に符号パターンを合成した合成画像を表示し（Ｓ２１３）、手書きフラグが１でなければ通常モードであるため、指定ページの原稿画像のみを表示し（Ｓ２１４）、Ｓ２０３に戻って同様の処理を繰り返す。
【００６１】
［原稿画像と符号パターンとを交互に表示する場合（図１０参照）］
上記と同様に、表示装置２０の制御部は、表示部２７に原稿画像を表示させ（Ｓ３０１）、手書きフラグに０をセットする（Ｓ３０２）。次に、制御部は、表示部２７のコマンド領域に設けられたボタンの操作、若しくは電子ペン３０に設けられたボタンの操作によって、ページ送りが指示されたかを判断する（Ｓ３０３）。
【００６２】
ページ送りが指示されていなければ、制御部は、表示部２７のコマンド領域に設けられたボタンの操作、若しくは電子ペン３０に設けられたボタンの操作によって、手書きモードが指示されたかを判断する（Ｓ３０４）。手書きモードが指示されなかった場合は、通常モードで動作するため、制御部は、手書きフラグに０をセットし（Ｓ３０５）、表示部２７の画面に原稿画像のみを表示し（Ｓ３０６）、Ｓ３０３に戻る。
【００６３】
一方、手書きモードが指示された場合は、制御部は、手書きフラグに１をセットし（Ｓ３０７）、表示装置２０に原稿画像と符号パターンとを交互に表示し（Ｓ３０８）、その後、電子ペン３０から受信した位置データに基づいて画面上に手書き画像を合成する（Ｓ３０９）。そして、制御部は、電子ペン３０の電源がＯＦＦにされるなどによって手書きが完了したかを判断し（Ｓ３１０）、完了していなければＳ３０３に戻り、手書きが完了したら、手書きフラグに０をセットし、通常モードに戻って、表示部２７の画面に原稿画像のみを表示する（Ｓ３１１）。
【００６４】
また、Ｓ３０３でページ送りが指示された場合、制御部は、手書きフラグが１であるかを判断し（Ｓ３１２）、手書きフラグが１であれば手書きモードであるため、指定ページの原稿画像と符号パターンを交互に表示し（Ｓ３１３）、手書きフラグが１でなければ通常モードであるため、指定ページの原稿画像のみを表示し（Ｓ３１４）、Ｓ３０３に戻って同様の処理を繰り返す。
【００６５】
このように、原稿のみを表示する通常モードと、少なくとも符号パターンを表示する手書きモードとを切り替え可能にし、手書きモードに設定されている場合のみ、符号パターンを表示する制御を行うため、手書きを必要としない場合に符号パターンが表示されて原稿画像の視認性が悪化するといった不具合を未然に防止することができる。
【実施例２】
【００６６】
次に、本発明の第２の実施例に係る表示装置及び表示制御プログラムについて、図１１及び図１２を参照して説明する。図１１は、本実施例の表示装置の表示コントローラの構成及び時分割表示方法を示す図であり、図１２は、表示装置の動作を示すフローチャート図である。
【００６７】
前記した第１の実施例では、通常モードと手書きモードを切り替え可能にし、符号パターンが常に表示される不都合を解消したが、原稿画像と符号パターンの両方を表示する場合、原稿画像に重なる部分では電子ペン３０が符号パターンを読み取ることができない場合が生じる。一方、表示装置２０では、画面を切り替えて表示することができ、各画面の表示時間も適宜設定できる。また、人間の眼には残像があるため、原稿画像が点滅しても、点滅時間を適切に設定すれば原稿画像の視認性を良好に保つことができる。更に、電子ペン３０の撮像部３６は、符号パターンが点滅しても、点滅時間を適切に設定すれば符号パターンを確実に認識することができる。
【００６８】
そこで、本実施例では、このような特徴を鑑みて、原稿画像と符号パターンを時分割で（第１の実施例の交互表示よりも短い時間間隔で）表示し、符号パターンを確実に読み取れるようにすると共に原稿画像の視認性の悪化を防止し、符号パターンを原稿画像に重ねて表示する場合の不都合を解消する。
【００６９】
この場合、表示装置２０は、原稿画像と符号パターンを時分割で表示する必要があることから、図１１に示すように、表示コントローラ２６に切り替え回路２６ａと画像出力回路２６ｂとを設け、切り替え回路２６ａでは、原稿画像と符号パターンを予め設定した時間間隔で交互に出力し、画像出力回路２６ｂは、表示部２７に原稿画像と符号パターンを交互に表示させるようにする。この場合の表示装置２０の動作について、図１２のフローチャート図を参照して説明する。
【００７０】
まず、表示装置２０の表示コントローラ２６の切り替え回路２６ａは、制御部の指示に従って、予め定められた時間間隔で原稿画像と符号パターンを画像出力回路２６ｂに送り、画像出力回路２６ｂは原稿画像と符号パターンを時分割で表示部２７に表示させる（Ｓ４０１）。
【００７１】
例えば、６０Ｈｚ（毎秒６０フレーム）で表示可能な液晶ディスプレイの場合は、原稿画像と符号パターンを各々、毎秒３０フレーム表示する。また、倍速の１２０Ｈｚ（毎秒１２０フレーム）で表示可能な液晶ディスプレイの場合は、原稿画像と符号パターンを各々、毎秒６０フレーム表示する。この場合、原稿画像は、６０Ｈｚでは約１７ｍｓｅｃ間隔、１２０Ｈｚでは約８ｍｓｅｃ間隔で表示されることになるが、人間の眼の時間分解能は５０〜１００ｍｓｅｃであるため、原稿画像は連続した画像として認識される。
【００７２】
なお、ここでは原稿画像と符号パターンのフレーム数（表示時間）を同じにしているが、符号パターンの表示時間が長くなると符号パターンが認識されやすくなり、符号パターンの表示時間が短くなると、電子ペン３０の撮像部３６が符号パターンを認識できなくなる。従って、符号パターンの表示時間を電子ペン３０の撮像部３６が符号パターンを認識可能な最小時間に設定すれば、符号パターンを目立たなくすることができ、あたかも原稿画像のみが画面上に表示されたようにすることも可能である。
【００７３】
その後、ユーザが電子ペン３０を用いて画面上で手書きを行うと、制御部は、電子ペン３０から位置データを受信し、必要に応じて、位置データに基づいて画面上に手書き画像を合成する（Ｓ４０２）。
【００７４】
次に、制御部は、表示部２７のコマンド領域に設けられたボタンの操作、若しくは電子ペン３０に設けられたボタンの操作によって、ページ送りが指示されたかを判断し（Ｓ４０３）、ページ送りが指示された場合は、Ｓ４０１に戻って、指示されたページの原稿画像と符号パターンを時分割で表示する。
【００７５】
ページ送りが指示されなかった場合は、制御部は、電子ペン３０の電源がＯＦＦにされるなどによって手書きが完了したかを判断し（Ｓ４０４）、完了していなければＳ４０１に戻り、手書きが完了したら、処理を終了する。
【００７６】
このように、原稿画像と符号パターンを時分割で表示することにより、符号パターンが原稿画像に重なって電子ペン３０で読み取れないといった不具合を未然に防止することができる。
【００７７】
なお、本発明は上記実施例に限定されるものではなく、本発明の趣旨を逸脱しない限りにおいて、各装置の構成や制御は適宜変更可能である。
【００７８】
例えば、第１の実施例では、通常モードと手書きモードを切り替え可能にし、第２の実施例では、常に原稿画像と符号パターンを時分割で表示するようにしたが、手書きモードに設定されている場合にのみ、原稿画像と符号パターンを時分割で表示するようにしてもよい。
【００７９】
また、上記各実施例では、原稿データと符号パターンのデータを表示装置２０に記憶する構成としたが、これらのデータを表示装置２０と通信可能な装置に記憶しておき、当該装置から取得する構成としてもよい。
【産業上の利用可能性】
【００８０】
本発明は、電子ペンで読み取り可能な符号パターンを表示する表示装置、及び、当該表示装置で動作する表示制御プログラムに利用可能である。
【符号の説明】
【００８１】
１０  表示システム
２０  表示装置
２１  ＣＰＵ
２２  ＲＯＭ
２３  ＲＡＭ
２４  通信部
２５  電源部
２６  表示コントローラ
２６ａ  切り替え回路
２６ｂ  画像出力回路
２７  表示部
２８  操作部
３０  電子ペン
３１  ＣＰＵ
３２  ＲＯＭ
３３  ＲＡＭ
３４  通信部
３５  電源部
３６  撮像部
３７  ペン圧力検知部
３８  筆記部
３９  時計部
４０  操作部
【図１】
2012058922.tif 000003
【図２】
2012058922.tif 000004
【図３】
2012058922.tif 000005
【図４】
2012058922.tif 000006
【図５】
2012058922.tif 000007
【図６】
2012058922.tif 000008
【図７】
2012058922.tif 000009
【図８】
2012058922.tif 000010
【図９】
2012058922.tif 000011
【図１０】
2012058922.tif 000012
【図１１】
2012058922.tif 000013
【図１２】
2012058922.tif 000014